(57)【要約】【課題】  光学式ピックアップに組み込まれる対物レンズが固定されるレンズホルダーの傾き調整を簡単に行うことが出来る装置を提供する。【解決手段】  レンズホルダー２の側面に第１及び第２の反射部材６、７を設けるとともに該第１及び第２の反射部材に対向する位置に発光素子及び受光素子が組み込まれた第１及び第２の検出部材９、１０を設け、前記第１及び第２の検出部材９，１０に設けられている発光素子から放射される光が前記第１及び第２反射部材６，７から反射されて前記第１及び第２の検出部材９，１０に設けられている受光素子に照射されて得られる信号の変化に基づいてレンズホルダー２の傾きを調整する。【選択図】    図１
2006302422.tif 000002
【特許請求の範囲】
【請求項１】
対物レンズが固定されるとともに複数の支持ワイヤーにてディスクの径方向及びディスクの面方向への変位を可能に支持されるレンズホルダーを備えた光学式ピックアップのレンズホルダー傾き調整装置であり、レンズホルダーの側面に第１及び第２の反射部材を設けるとともに該第１及び第２の反射部材に対向する位置に発光素子及び受光素子が組み込まれた第１及び第２の検出部材を設け、前記第１及び第２の検出部材に設けられている発光素子から放射される光が前記第１及び第２反射面から反射されて前記第１及び第２の検出部材に設けられている受光素子に照射されて得られる信号の変化に基づいてレンズホルダーの傾きを調整するようにしたことを特徴とする光学式ピックアップのレンズホルダー傾き調整装置。
【請求項２】
第１及び第２反射部材の形状を楔形にしたことを特徴とする請求項１に記載のレンズホルダー傾き調整装置。
【請求項３】
フォトインタラプタを検出部材として使用したことを特徴とする請求項１に記載のレンズホルダー傾き調整装置。
【発明の詳細な説明】
【技術分野】
【０００１】
本発明は、光学式ピックアップに組み込まれる対物レンズが固定されるレンズホルダーの傾きを調整する装置に関する。
【背景技術】
【０００２】
光学式ピックアップから照射されるレーザー光によって光ディスクに記録されている信号の読み出し動作や該ディスクに信号を記録するように構成された光ディスク記録再生装置が普及している。
【０００３】
斯かる光ディスク記録再生装置に使用される光学式ピックアップは、レーザーダイオードから放射されるレーザー光をスポット状に絞って光ディスクの信号面に合焦させるとともに信号トラックにレーザースポットを追従させる対物レンズが組み込まれている。斯かる対物レンズは、レンズホルダーに固定されているが、レンズホルダーは、レーザーの合焦動作やトラッキング動作を行うため複数の支持ワイヤーによって揺動可能に支持されている(例えば、特許文献１参照。)。
【０００４】
光学式ピックアップが組み込まれた光ディスク記録再生装置では、対物レンズの光軸を光ディスクの信号面に対して垂直になるように取付調整する必要があり、斯かる調整装置としてオートコリメータを使用する方法が一般に行われている(例えば、特許文献２参照。)。
【特許文献１】特開２００２−７４７０５号公報
【特許文献２】特開平６−５９１７２号公報
【発明の開示】
【発明が解決しようとする課題】
【０００５】
特許文献２の技術によれば対物レンズの傾きを調整することは出来るものの対物レンズが固定されるレンズホルダーが支持ワイヤーによって正確な位置に支持されていない状態で対物レンズの傾き調整が行われているため、対物レンズを支持するレンズホルダーに偏倚力が働いた状態にて光学式ピックアップは使用されることになる。
【０００６】
ＣＤと呼ばれる低密度の光ディスクを使用する光ディスク記録再生装置では、問題にはならなかったが、ＤＶＤディスクや青色レーザー光を使用する高密度ディスクを使用する光ディスク記録再生装置では、レンズホルダーが偏倚した状態で使用すると記録再生特性に悪影響を与えるという問題がある。
【０００７】
本発明は、斯かる問題を解決することが出来るレンズホルダーの傾き調整装置を提供しようとするものである。
【課題を解決するための手段】
【０００８】
本発明は、対物レンズが固定されるレンズホルダーの側面に第１及び第２の反射部材を設けるとともに該第１及び第２の反射部材に対向する位置に発光素子及び受光素子が組み込まれた第１及び第２の検出部材を設け、前記第１及び第２の検出部材に設けられている発光素子から放射される光が前記第１及び第２反射面から反射されて前記第１及び第２の検出部材に設けられている受光素子に照射されて得られる信号の変化に基づいてレンズホルダーの傾きを調整するように構成されている。
【０００９】
また、本発明は、第１及び第２反射部材の形状を楔形にするように構成されている。
【００１０】
そして、本発明は、フォトインタラプタを検出部材として使用するように構成されている。
【発明の効果】
【００１１】
本発明は、レンズホルダーの傾きを調整するようにしたので、対物レンズの光軸をディスクの信号面に対して最適な位置になるように対物レンズを固定することが出来る。
【００１２】
また、本発明は、第１及び第２反射部材の形状を楔形にしたので、レンズホルダーの傾きに応じた反射光の変化を大きくすることが出来、その結果傾きの検出動作を正確に行うことが出来る。
【００１３】
そして、本発明は、フォトインタラプタを検出部材として使用したので構成が簡単になるという利点を有している。
【発明を実施するための最良の形態】
【００１４】
本発明は、光学式ピックアップの組立時に対物レンズが固定されるレンズホルダーの傾きを調整する装置を提供するものであり、特にレンズホルダーを複数の支持ワイヤーにて保持する構造の光学式ピックアップに適した装置を提供するものである。
【実施例】
【００１５】
図１は本発明の傾き調整装置に関し、レンズホルダーが正確な位置にある状態を示す平面図、図２は図１に示した状態の要部正面図、図３は、本発明の傾き調整装置に関し、レンズホルダーが傾いた状態を示す平面図、図４は図３に示した状態の要部正面図、図５は傾き検出動作を行う回路の一実施例である。
【００１６】
図１において、１は光学式ピックアップに組み込まれているレーザーダイオードから放射されるレーザー光を光ディスクの信号面に合焦させる対物レンズ、２は前記対物レンズ１が固定されるレンズホルダーであり、４本の支持ワイヤー３ａ、３ｂ、３ｃ及び３ｄによって光ディスクの径方向、即ち図１において矢印Ａ方向及び矢印Ｂ方向への変位、そして光ディスクの面方向、即ち図２において矢印Ｃ方向及び矢印Ｄ方向への変位を可能に支持されている。
【００１７】
前記支持ワイヤー３ａ、３ｂ、３ｃ及び３ｄは、導電性部材にて形成されているととも弾性部材にて構成されており、一端は前記レンズホルダー２に固装されているフォーカシングコイル(図示せず)及びトラッキングコイル(図示せず)に接続され、他端は固定基板４に固定されている印刷配線基板５に半田によって固着されている。
【００１８】
斯かる構成によれば、前記印刷配線基板５に組み込まれているフォーカスコイル駆動回路やトラッキングコイル駆動回路から供給される駆動電流を前記支持ワイヤー３ａ、３ｂ、３ｃ及び３ｄを通してフォーカシングコイル及びトラッキングコイルに供給することが出来る。従って、光学式ピックアップの基板に固定されている磁石との協働によってレンズホルダー２に固定されている対物レンズ１を光ディスクの径方向、即ちトラッキング方向及び光ディスクの面方向、即ちフォーカシング方向へ変位させることが出来る。
【００１９】
６及び７は前記レンズホルダー２の支持面２Ａ、即ち前記支持ワイヤー３ａ、３ｂ、３ｃ及び３ｄによる支持が行われている面の反対側の側面２Ｂに設けられている第１及び第２の反射部材であり、図２に示すように楔形の形状にされている。
【００２０】
８は光学式ピックアップの組立時に使用される調整用基板であり、光学式ピックアップを調整位置に固定したとき、前記レンズホルダー２の側面２Ｂに設けられている第１反射部材６及び第２反射部材７に対向する位置に第１検出部材９及び第２検出部材１０が固定されている。
【００２１】
前記第１検出部材９及び第２検出部材１０は、フォトインタラプタと呼ばれる電子部品にて構成されており、各々光を発する第１発光ダイオード９Ａ及び第２発光ダイオード１０Ａ、そして光を受ける第１フォトトランジスタ９Ｂ及び第２フォトトランジスタ１０Ｂが組み込まれている。前記第１発光ダイオード９Ａ及び第２発光ダイオード１０Ａから発せられた光は、各々前記第１反射部材６及び第２反射部材７に照射された後、該第１反射部材６及び第２反射部材７にて反射されて前記第１フォトトランジスタ９Ｂ及び第２フォトトランジスタ１０Ｂに照射されることになる。
【００２２】
図２及び図４において、破線で示す円形部Ｐ及びＱが前記第１発光ダイオード９Ａ及び第２発光ダイオード１０Ａから発せられた光が照射された部分を示すものである。また、斜線部Ｐ１及びＱ１が前記第１反射部材６及び第２反射部材７上に照射されている部分を示すものであり、この部分にて反射された光が各々第１フォトトランジスタ９Ｂ及び第２フォトトランジスタ１０Ｂに照射されることになる。
【００２３】
次に図５に示した傾き検出回路について説明する。前記第１検出部材９であるフォトインタラプタに組み込まれている第１発光ダイオード９Ａのアノードは抵抗１１を介して電源に接続され、そのカソードは接地されている。また、前記第１発光ダイオード９Ａから発せられた光の中の前記第１反射部材６から反射される光が照射される第１フォトトランジスタ９Ｂのコレクタは、抵抗１２を介して電源に接続され、そのエミッタは接地されている。
【００２４】
同様に前記第２検出部材１０であるフォトインタラプタに組み込まれている第１発光ダイオード１０Ａのアノードは抵抗１３を介して電源に接続され、そのカソードは接地されている。また、前記第２発光ダイオード１０Ａから発せられた光の中の前記第２反射部材７から反射される光が照射される第２フォトトランジスタ１０Ｂのコレクタは、抵抗１４を介して電源に接続され、そのエミッタは接地されている。
【００２５】
１５は＋側入力端子が前記第１フォトトランジスタ９Ｂのコレクタに接続されていると−側入力端子が前記第２フォトトランジスタ１０Ｂのコレクタに接続されている比較回路であり、両入力端子に入力される信号のレベル差に応じた信号を出力端子に出力するように構成されている。１６は前記比較回路１５の出力信号が入力される調整制御回路であり、入力される信号に基づいてレンズホルダー２の傾きを検出し、その検出された傾きを調整するための信号を出力したり、傾きを示す表示手段を駆動する信号を出力するように構成されている。
【００２６】
以上に説明したように本発明に係る調整装置は構成されており、次に動作について説明する。図示した状態では、対物レンズ１がレンズホルダー２に固定されているが、レンズホルダー２の傾き調整動作は対物レンズを該レンズホルダー２固定する前に行われる。
【００２７】
光学式ピックアップを冶具上の調整位置に設置させると図１に示したように調整用基板８に設けられている第１検出部材９及び第２検出部材１０が各々レンズホルダー２の側面２Ｂに設けられている第１反射部材６及び第２反射部材７と対向した状態になる。
【００２８】
図１及び図２は、レンズホルダー２が最適な位置、即ち傾きが零の状態を示すものであ
り、第１発光ダイオード９Ａから発せられた光が図２のＰで示すように照射されるとともに第２発光ダイオード１０Ａから発せられた光が図２のＱで示すように照射される。図２において、第１発光ダイオード９Ａから発せられた光の中で第１反射部材６によって反射されて第１フォトトランジスタ９Ｂの制御電極に照射される光は、斜線部Ｐ１の面積に応じた量であり、第２発光ダイオード１０Ａから発せられた光の中で第２反射部材７によって反射されて第２フォトトランジスタ１０Ｂの制御電極に照射される光は、斜線部Ｑ１の面積に応じた量となる。
【００２９】
そして、図２に示した状態は、斜線部Ｐ１と斜線部Ｑ１の面積が同一であり、反射光量は同一となる。この場合には、第１フォトトランジスタ９Ｂのコレクタより得られる信号のレベルと第２フォトトランジスタ１０Ｂのコレクタより得られる信号のレベルとが同一になるように設定されている。前記第１フォトトランジスタ９Ｂのコレクタより得られる信号と第２フォトトランジスタ１０Ｂのコレクタより得られる信号、即ち同一レベルの信号が＋側入力端子及び−側入力端子に入力されると、比較回路１５の出力端子に基準となる値、例えばＶの電圧が出力される。
【００３０】
斯かるＶレベルの信号が調整制御回路１６に入力されると、該調整制御回路１６は、レンズホルダー２の傾きが零であり、該レンズホルダー２は最適な位置に支持ワイヤー３ａ、３ｂ、３ｃ及び３ｄによって支持されていることが認識される。従って、斯かる状態にて支持ワイヤー３ａ、３ｂ、３ｃ及び３ｄを固定基板４及び印刷配線基板５に固定することによってレンズホルダー２を最適な位置に取り付けることが出来る。
【００３１】
以上は、レンズホルダー２が最適な位置にある場合の動作であり、次にレンズホルダー２が傾いた状態にある場合の動作について、図３及び図４を参照して説明する。図３及び図４は、レンズホルダー２が図１及び図２に示した最適な位置から反時計方向に傾いた状態を示すものである。
【００３２】
レンズホルダー２が反時計方向に傾くと、第１発光ダイオード９Ａから発せられた光の中の第１反射部材６に照射される部分、即ち斜線部Ｐ１の面積が増加し、反対に第２発光ダイオード１０Ａから発せられた光の中の第２反射部材７に照射される部分、即ち斜線部Ｑ１の面積が減少する。その結果、第１反射部材６によって反射されるとともに第１フォトトランジスタ９Ｂの制御電極に照射される光量が増加し、第２反射部材７によって反射されるとともに第２フォトトランジスタ１０Ｂの制御電極に照射される光量が減少する。
【００３３】
前記第１フォトトランジスタ９Ｂの制御電極に照射される光量が増加すると、該第１フォトトランジスタ９Ｂのコレクタ電流が増加するので、抵抗１２による電圧低下量が大きくなり、その結果、比較回路１５の＋側入力端子に入力される信号のレベルが小さくなる。また、前記第２フォトトランジスタ１０Ｂの制御電極に照射される光量が減少すると、該第２フォトトランジスタ１０Ｂのコレクタ電流が減少するので、抵抗１４による電圧低下量が小さくなり、その結果、比較回路１５の−側入力端子に入力される信号のレベルが大きくなる。
【００３４】
前記比較回路１５の＋側入力端子に入力される信号のレベルが小さくなり、−側入力端子に入力される信号のレベルが大きくなると、該比較回路１５の出力端子には、Ｖ−αの電圧が出力されるが、この−α値がレンズホルダー２の反時計方向への傾きの量を示すことになる。
【００３５】
図３及び図４に示した状態は、レンズホルダー２が図１及び図２に示した最適な位置から反時計方向に傾いた状態を示すものであり、次に時計方向に傾いた場合の動作について説明する。
【００３６】
レンズホルダー２が図１及び図２に示した最適な位置から時計方向に傾いた場合には、第１発光ダイオード９Ａから発せられた光の中の第１反射部材６に照射される部分、即ち斜線部Ｐ１の面積が減少し、反対に第２発光ダイオード１０Ａから発せられた光の中の第２反射部材７に照射される部分、即ち斜線部Ｑ１の面積が増加する。その結果、第１反射部材６によって反射されるとともに第１フォトトランジスタ９Ｂの制御電極に照射される光量が減少し、第２反射部材７によって反射されるとともに第２フォトトランジスタ１０Ｂの制御電極に照射される光量が増加する。
【００３７】
前記第１フォトトランジスタ９Ｂの制御電極に照射される光量が減少すると、該第１フォトトランジスタ９Ｂのコレクタ電流が減少するので、抵抗１２による電圧低下量が小さくなり、その結果、比較回路１５の＋側入力端子に入力される信号のレベルが大きくなる。また、前記第２フォトトランジスタ１０Ｂの制御電極に照射される光量が増加すると、該第２フォトトランジスタ１０Ｂのコレクタ電流が増加するので、抵抗１４による電圧低下量が大きくなり、その結果、比較回路１５の−側入力端子に入力される信号のレベルが小さくなる。
【００３８】
前記比較回路１５の＋側入力端子に入力される信号のレベルが大きくなり、−側入力端子に入力される信号のレベルが小さくなると、該比較回路１５の出力端子には、Ｖ＋βの電圧が出力されるが、このβ値がレンズホルダー２の時計方向への傾きの量を示すことになる。
【００３９】
前述したようにレンズホルダー２が反時計方向に傾くと比較回路１５の出力端子にＶ−αの電圧が出力され、レンズホルダー２が時計方向に傾くと比較回路１５の出力端子にＶ＋βの電圧が出力されるので、調整制御回路１６は入力される電圧値によってレンズホルダー２の傾き方向が反時計方向か時計方向かを認識することが出来るとともに傾きの量を認識することが出来る。
【００４０】
従って、斯かる認識動作に伴う調整信号を調整装置に供給することによってレンズホルダー２の傾きを最適な位置になるように修正した後支持ワイヤー３ａ、３ｂ、３ｃ及び３ｄを固定基板４及び印刷配線基板５に固定するようにすればレンズホルダー２を最適な位置に取り付けることが出来る。
【００４１】
また、レンズホルダー２の傾き方向や傾き量をメーター等によって表示させるようにすれば、メーターの表示によって傾き方向及び傾き量を確認することが出来るので、手動によってレンズホルダー２の傾き修正動作を行うことが出来る。
【００４２】
本実施例では、フォトインタラプタに組み込まれている受光素子としてフォトトランジスタを使用したがフォトダイオードにて構成することは勿論可能である。また、本実施例では、第１反射部材６及び第２反射部材７の形状を楔形にしたが、レンズホルダーの傾きに応じて反射光量を変化させる形状であれば他の形状にすることも出来る。そして、第１反射部材６及び第２反射部材７としては、アルミ箔やミラー等を使用することが出来るが、レンズホルダー２の側面自体を鏡面仕上げすることによって反射面を形成することは可能である。
【００４３】
前述した傾き調整動作を行うとともに支持ワイヤー３ａ、３ｂ、３ｃ及び３ｄを固定基板４及び印刷配線基板５に固定ことによってレンズホルダー２を最適な位置に取り付けることが出来るが、このようにして取り付けられたレンズホルダー２に対物レンズ１を取付固定することによって対物レンズ１の光軸を最適な位置に合わせることが出来る。
【図面の簡単な説明】
【００４４】
【図１】本発明の傾き調整装置を示す平面図である。
【図２】本発明の傾き調整装置を示す要部の正面図である。
【図３】本発明の傾き調整装置の異なる状態を示す平面図である。
【図４】本発明の傾き調整装置の異なる状態を示す要部の正面図である。
【図５】本発明の傾き調整装置における傾きを検出する検出回路の一実施例である。
【符号の説明】
【００４５】
１        対物レンズ
２        レンズホルダー
４        固定基板
５        印刷配線基板
６        第１反射部材
７        第２反射部材
９        第１検出部材
９Ａ      第１フォトダイオード
９Ｂ      第１フォトトランジスタ
１０        第２検出部材
１０Ａ      第２フォトダイオード
１０Ｂ      第２フォトトランジスタ
１５        比較回路
１６        調整制御回路
【図１】
2006302422.tif 000003
【図２】
2006302422.tif 000004
【図３】
2006302422.tif 000005
【図４】
2006302422.tif 000006
【図５】
2006302422.tif 000007